(57)【要約】【課題】間隔をおいて互いに対向する面をそれぞれが備え、互いに対向する面の少なくともいずれかが発熱部である複数の構成機器を具備した電子機器の動作温度を、小型でかつ低コストの構成で、効果的に低減する低騒音の冷却装置を提供する【解決手段】本発明における電子機器の冷却装置では、電子機器である液晶型表示装置の液晶ユニット部２の上下端に、冷却ファンと空冷ダクトからなる独立した一対の空冷手段が設けられ、液晶ユニット部２を間に挟んで、上下から互いに対向方向へ送風して、入射側偏光板１２と液晶パネル１３、あるいは液晶パネル１３と出射側偏光板１４の間の空間に通風させ、光透過面の中央付近で、２つの通風を衝突させることで、発熱面へ垂直方向に向かう旋回流を生成し、熱伝達率を向上させて、冷却効率の改善を図る構成となっている。【選択図】図３
2008107387.tif 000002
【特許請求の範囲】
【請求項１】
面内方向が同じとなるように並設されて面の内部に発熱部を有する複数の構成機器を備えた電子機器の発熱部を空気冷却する冷却装置であって、
前記発熱部に対して前記面内方向の向きに送風を行う第１の空冷手段と、
前記第１の空冷手段による送風とは異なった向きで前記発熱部に対して前記面内方向に送風を行う第２の空冷手段と、を有することを特徴とする電子機器の発熱部冷却装置。
【請求項２】
請求項１に記載の電子機器の発熱部冷却装置において、
前記第１の空冷手段による第１の送風と、前記第２の空冷手段による第２の送風とが、互いに異なる風速ベクトルを有しており、
複数の前記構成機器の前記対向する面の、前記発熱部の位置において、前記第１の送風と前記第２の送風とが互いに衝突するように前記第１の空冷手段と前記第２の空冷手段とが設定されている、電子機器の発熱部冷却装置。
【請求項３】
請求項１または請求項２に記載の電子機器の発熱部冷却装置において、
前記第１の空冷手段が、複数の前記構成機器の前記対向する面の下端に配置され、
前記第２の空冷手段が、複数の前記構成機器の前記対向する面の上端に配置されている、電子機器の発熱部冷却装置。
【請求項４】
請求項１から請求項３のいずれか１項に記載の電子機器の発熱部冷却装置において、
前記第１の空冷手段が、第１の冷却ファンと第１の空冷ダクトとから構成されており、
前記第２の空冷手段が、第２の冷却ファンと第２の空冷ダクトとから構成されている、電子機器の発熱部冷却装置。
【請求項５】
請求項１から請求項３のいずれか１項に記載の電子機器の発熱部冷却装置において、
前記第１の空冷手段および前記第２の空冷手段のいずれか一方が、冷却ファンと空冷ダクトから構成され、他方が空冷ファンのみで構成されている、電子機器の発熱部冷却装置。
【請求項６】
請求項１または請求項２に記載の電子機器の発熱部冷却装置において、
前記第１の空冷手段が、第１の冷却ファンと、第１の空冷ダクトから構成されており、
前記第２の空冷手段が、前記第１の空冷手段と共有する前記第１の空冷ファンと、前記第１の空冷ダクトから途中分岐して、前記第１の空冷ダクトの送風方向とは異なった方向から前記面内へ送風する第２の空冷ダクトとから構成されている、電子機器の発熱部冷却装置。
【請求項７】
請求項４または請求項５に記載の電子機器の発熱部冷却装置において、
前記第１の冷却ファンと前記第２の冷却ファンの送風量が可変である、電子機器の発熱部冷却装置。
【請求項８】
請求項１から請求項７のいずれか１項に記載の電子機器の発熱部冷却装置において、
前記電子機器が液晶型画像表示器であり、前記構成機器が、液晶ユニット部を構成する入射側偏光板、液晶パネル、および出射側偏光板である、電子機器の発熱部冷却装置。
【請求項９】
請求項１に記載の電子機器の発熱部冷却装置の発熱部冷却方法であって、
前記電子機器の前記構成機器に対する前記第１の空冷手段による第１の送風を、前記構成機器の前記対向する面の間隙において、第１の方向に向けて送風し、
前記第２の空冷手段による第２の送風を、前記構成機器の前記対向する面の間隙において、前記第１の方向とは異なる第２の方向へ向けて送風し、
前記第１の送風と前記第２の送風とを、前記構成機器の前記対向する面の前記発熱部中央位置近傍において互いに衝突させることにより、前記構成機器の前記対向する面のいずれか、もしくは両方に対して、それぞれ垂直に向かう旋回流を生成させる、ことを特徴とする電子機器の発熱部冷却方法。
【請求項１０】
請求項９に記載の電子機器の発熱部冷却方法において、
前記第１の空冷手段が前記電子機器の前記構成機器の下端に配置され、前記第２の空冷手段が前記電子機器の前記構成機器の上端に配置されており、
前記第１の空冷手段による第１の送風を、複数の前記構成機器の間の空間において、下方から上方へと送風し、
前記第２の空冷手段による第２の送風を、複数の前記構成機器の間の空間において、上方から下方へと送風し、
前記第１の送風と前記第２の送風とを、前記構成機器の前記対向する面の前記発熱部中央位置近傍において互いに衝突させることにより、前記構成機器の前記対向する面のいずれか、もしくは両方に対して、それぞれ垂直へ向かう旋回流を生成させる、電子機器の発熱部冷却方法。
【請求項１１】
請求項９または請求項１０に記載の電子機器の発熱部冷却方法において、
前記第１の空冷手段を構成する第１の空冷ファンと、前記第２の空冷手段を構成する第２の空冷ファンとの、送風量の比率を時間的に変動させることにより、前記第１の送風と前記第２の送風との衝突位置を、前記構成機器の前記対向する面の前記発熱部中央位置から周期的に移動させる、電子機器の発熱部冷却方法。
【請求項１２】
請求項９から請求項１１のいずれか１項に記載の電子機器の発熱部冷却方法において、
前記電子機器が液晶型画像表示器であり、前記構成機器が、液晶ユニット部を構成する入射側偏光板、液晶パネル、および出射側偏光板である、電子機器の発熱部冷却方法。
【請求項１３】
請求項８に記載の電子機器の発熱部冷却装置を備えたことを特徴とする液晶プロジェクタ装置。
【発明の詳細な説明】
【技術分野】
【０００１】
本発明は、電子機器の発熱部冷却装置とその冷却方法、および液晶プロジェクタ装置に関し、特に冷却面で送風が互いに衝突する２つの冷却部を有する電子機器の発熱部冷却装置とその冷却方法、およびその電子機器の発熱部冷却装置を備えた液晶プロジェクタ装置に関する。
【背景技術】
【０００２】
電子機器の発熱部の冷却装置には種々の形態のものが使用されており、構成の簡略化の目的で空気によって冷却する冷却装置にも種々の構成のものが開発されている。現在、業務用および一般家庭用として広く普及している投写型表示装置であるプロジェクタ装置においても複数の強制空冷式の冷却装置が設けられている。
【０００３】
投写型表示装置は、画像表示器の画像表示素子上に生成された画像をスクリーンに拡大投影して表示するが、かかる投写型表示装置のうち、画像表示素子に液晶パネルを用いた液晶プロジェクタ装置は、次のような構成と動作でスクリーン上に画像を表示する。
【０００４】
光源からの白色光は、リフレクタで反射され、ＰＢＳ（Ｐｏｌａｒｉｚａｔｉｏｎ−Ｂｅａｍ−Ｓｐｌｉｔｔｅｒ  偏光ビームスプリッタ）により偏光変換されてＲ／Ｇ／Ｂの各色光に分離される。分離された各色光は、対応する各液晶パネルに入射され、その液晶パネルによって、ビデオ信号に従った光変調を受ける。光変調された各色光は、色合成プリズムにより合成されて投射光学系を介してスクリーン上に投射される。
【０００５】
このとき、ＴＮ（Ｔｗｉｓｔｅｄ  Ｎｅｍａｔｉｃ）モードで動作する液晶パネルは、特定の直線偏光成分しか扱えないため、各色光は、液晶パネル入射前に偏光板によって所定の偏光方向（例えばＳ偏光）に揃えられ、液晶パネルで光変調を受けた後、液晶パネル出射側の偏光板によってＳ偏光成分がカットされ、Ｐ偏光成分のみが抽出される。
【０００６】
このように、入射側偏光板、液晶パネル、および出射側偏光板で構成される液晶ユニットのうち、液晶パネルの前後に光軸に沿って配置される入射側偏光板および出射側偏光板は、各々１軸方向の偏光光のみを通過させ、他の偏光光を遮蔽する機能を持つため、動作時は吸光により発熱を生じる。また液晶パネルにおいても、各画素境界にあるブラックマトリクスで透過光の一部が遮光されるため、同じく動作時に内部発熱を生ずる。
【０００７】
これらの液晶パネルや偏光板には有機材料が用いられることも多く、長時間にわたって波長の短い光が照射されたり、高温に曝されたりすると、液晶パネルの配向膜がダメージを受けたり、偏光板の偏光選択特性が低下したりするなど、その機能が著しく損なわれてしまう。そこで、これらの液晶ユニット部には強制空冷等の放熱対策が必要となる。
【０００８】
このような、間隔をおいて互いに対向する面をそれぞれが有し、互いに対向する面が発熱部であるような電子機器の、複数の構成機器の発熱部の効率的な冷却のためには、特殊な構成の冷却装置が求められる。
【０００９】
図９は従来の液晶プロジェクタ装置の模式的構成図であり、（ａ）は一般的な液晶プロジェクタ装置の外観を、（ｂ）は液晶プロジェクタ装置の内部構造を示す。また、図１０は液晶プロジェクタ装置の内部の模式的構成図である。
【００１０】
主に図１０に示すように、液晶プロジェクタ装置１の筐体内には、液晶ユニット部２を強制空冷するための冷却ファン３と空冷ダクト４が実装されており、この他にも、光源５や電源ユニット１０等を冷却するためのランプ用冷却ファン７や、筐体排気用の排気ファン９などが必要に応じて設けられている。
【００１１】
ここで、液晶プロジェクタ装置１の液晶ユニット部２の一般的な冷却方法について、図１１を用いて説明する。図１１は液晶プロジェクタ装置の液晶ユニット部の冷却部の構成を示す模式図であり、（ａ）は分解斜視図、（ｂ）は強制空冷動作を説明するための模式的断面図である。
【００１２】
図１１（ｂ）において、入射側偏光板１２、液晶パネル１３、および出射側偏光板１４から構成される液晶ユニット部２は、Ｒ／Ｇ／Ｂの色光ごとに設けられており、その下方に、冷却ファン３と空冷ダクト４とからなる空冷装置１５が配置されている。
【００１３】
空冷装置１５の動作中は、図１１（ｂ）に示すように、冷却ファン３からの送風１６を、空冷ダクト４に用意された吐出口１７を介して、液晶ユニット部２の下端から各液晶ユニット部２を構成する入射側偏光板１２、液晶パネル１３、出射側偏光板１４の間の空間に通風して強制空冷を行っている。
【００１４】
近年、液晶プロジェクタ装置に対しては、その利用方法の多様化に合わせて、小型・高輝度化への要求が高まってきている。このような要求に応えるために、ランプ出力の増加と表示デバイスの小型化が進められ、その結果、液晶ユニット部へ入射する光の光束密度が増大し、液晶ユニット部２を構成する各ユニットの熱負荷は上昇の一途をたどっている。
【００１５】
例えば、２０００ｌｍクラスの液晶プロジェクタ装置（１．０"―ＸＧＡ）では、液晶ユニットの総発熱量は１５Ｗ前後、出射側偏光板の熱流束は０．６Ｗ／ｃｍ2 程度であるが、５０００ｌｍクラスになると、液晶ユニットの総発熱量は３５Ｗ以上、出射側偏光板の熱流束は１．４Ｗ／ｃｍ2 以上に到達する。
【００１６】
一般に、液晶ユニット部の冷却手段として強制空冷を用いる場合、ファンの送風量を増加させて、発熱体の周りの風速を上げ、熱伝達率を改善することによって放熱能力を高めて、増大する熱負荷に対応することが行われる。
【００１７】
しかしながら、ファン回転数の上昇によって送風量を増加させると、動作騒音の増加を招き、またファンの大型化によって送風量を増加させると、装置の小型化とは逆行する。
【００１８】
一方、環境負荷の低減と、ランニングコストの削減を目的として、液晶プロジェクタ装置の長寿命化に対する要求も、次第に高まりつつある。ランプ交換部品を別にすれば、液晶プロジェクタ装置の寿命を決定する要因は、主に液晶ユニット部における光学特性の劣化による寿命である。従って、冷却性能の改善によって、液晶ユニット部の動作温度を低減させることで、長寿命化を図ることができる。
【００１９】
しかしながら、層流領域においては、強制対流の平均熱伝達率は風速の平方根に比例し、パネル動作温度は風速の平方根に反比例するので、ある程度までパネル動作温度を下げると、風速変化に対するパネル温度変化の感度が鈍くなる。
【００２０】
図１２は、０．８"―ＳＸＧＡ（５０００ｌｍクラス：２５℃環境）におけるパネル冷却風速とパネル動作温度の関係を示したグラフである。パネル動作温度を７０℃から６０℃まで下げる（ΔＴ＝―１０℃）ためには、風速を４．５ｍ／ｓから８ｍ／ｓへ増加（ΔＶ＝＋３．５ｍ／ｓ）させるだけでよいが、６０℃から５０℃まで下げる（ΔＴ＝―１０℃）ためには、８ｍ／ｓから１８ｍ／ｓまで風速を上げる（ΔＶ＝＋１０ｍ／ｓ）必要があることがわかる。
【００２１】
このように、長寿命化を目的として、強制空冷でパネル動作温度のさらなる低減を図る場合、目標温度が低くなるほど、冷却風速が過度に要求される。したがって、上述したように、ファン動作騒音のさらなる悪化や、装置大型化を招く恐れがあり、場合によっては冷却能力の限界（空冷限界）を超える可能性もあるため、高効率な液晶ユニット冷却システムの開発が急務となっている。
【００２２】
さらに、液晶パネルに関しては、画質の観点から冷却に対する別の要求も存在する。すなわち、液晶パネルの光変調では、入力信号に対する光変調効果の温度依存性が高いため、パネル面に温度ムラが生じると、輝度ムラや色ムラの原因となり、投射画質が悪化する。そのため、液晶パネルの冷却に際しては、動作パネル面に生じる温度勾配や温度ムラを極力小さくする冷却方法が望まれている。
【００２３】
図１３は、液晶ユニット冷却の第１の従来例を示す模式的側面図である。この第１の従来例は、特許文献１（特開平１１―２９５８１４号）に開示されており、色合成プリズム３５の下部に風向板３９を設けて、冷却ファン３から送風される風の向きを最適化して、液晶パネルの冷却効率の改善を図った装置が開示されている。
【００２４】
図１４は、液晶ユニット冷却の第２の従来例を示す模式的斜視図である。この第２の従来例は、特許文献２（特開２００１―３１８３６１号）に開示されており、液晶パネルの保持枠４０に冷却空気を案内する突片部４１を設け、ダクト吐出口４２からの通風の隙間を抑制して冷却効率を向上させる装置が開示されている。
【００２５】
図１５は、液晶ユニット冷却の第３の従来例を示す模式的断面図である。この第３の従来例は、特許文献３（特開２００４―６１８９４号）に開示されており、液晶パネルの保持枠４０の通風路部に切欠部４３を設け、液晶パネル１３と偏光板１４との通風路幅（図中：Ｘ部とＹ部）を変更して冷却風速を調整する装置が開示されている。
【００２６】
図１６は液晶ユニット冷却の第４の従来例の第１例を示す模式図であり、（ａ）は上面図、（ｂ）は側面断面図であり、図１７は液晶ユニット冷却の第４の従来例の第２例を示す模式図であり、（ａ）は上面図、（ｂ）は側面断面図である。この第４の従来例は、特許文献４（特開２０００―１２４６４９号）に開示されている。
【００２７】
図１６では、液晶パネル１３と偏光板１２との間にＵ字溝形状の導風板４４を架設することにより、液晶パネル１３の出射側の下方から吹き上げた冷却風の風向を、上端のＵ字溝で１８０°ターンさせて、入射偏光板１２側において上方から下方へ通風させることで、パネル面に生じる温度ムラの解消を図っている。
【００２８】
一方、図１７では、液晶パネル１３の上下に一対の冷却ファン３ａ、３ｂを設け、液晶パネルを間に挟んで、出射側は下方から上方へ、入射側は上方から下方へ通風して、パネル面に生じる温度ムラの解消を図る装置が開示されている。
【００２９】
図１８は液晶ユニット冷却の第５の従来例を示す模式的側面断面図である。この第５の従来例は、特許文献５（特開２００１―２０９１２６号）に開示されており、液晶パネル冷却部を循環ダクト４５により密閉型の内部循環構造とし、第１の冷却ファン３ａで液晶ユニットを空冷し、受熱して高温となった排気を、ヒートシンク等（図示せず：図中の循環ダクト４５と空気環流用ダクト４６の境界に用意）を介して、その循環ダクト４５によって遮蔽された外部の空気環流用ダクト４６側に伝熱し、外側に用意された第２の冷却ファン３ｂで、そのヒートシンクの熱を放熱する装置が開示されている。
【特許文献１】特開平１１―２９５８１４号公報
【特許文献２】特開２００１―３１８３６１号公報
【特許文献３】特開２００４ ― ６１８９４号公報
【特許文献４】特開２０００―１２４６４９号公報
【特許文献５】特開２００１―２０９１２６号公報
【発明の開示】
【発明が解決しようとする課題】
【００３０】
上述のように、液晶ユニットの冷却において、冷却性能を改善するためにファン風速を上げようとすると、ファン動作騒音の悪化や実装容積の増加を招くこととなる。さらには、長寿命化を視野にいれて液晶ユニットを室温近くまで冷却したい場合、空冷限界（風速を上げても温度が下がらない）の壁に阻まれる懸念がある。
【００３１】
特許文献１（第１の従来例）には、色合成プリズムの下部に風向板を用意し、液晶パネルへ送風される冷却風の向きを調整して、液晶パネルの冷却効率を改善する構造が開示されている。しかしながら、液晶パネルへの送風角度を最適化して、パネル出射側面に当たる風量を増加させても、その対向面に位置する出射側偏光板への送風は逆に抑制されるため、出射側偏光板の冷却効率は悪化する。
【００３２】
特許文献２（第２の従来例）には、液晶パネル保持枠に突片部を用意して、通風隙間を制限してダクト送風を液晶パネルへ無駄なく効率的に導風する装置が開示されている。しかしながら、突片部による通風漏れの抑制は、通風抵抗の増加による風速低下や、下流域（液晶パネル上部）における排熱の澱み（排気の抜けの悪化）によるパネル温度の上昇を一部で引き起こすため、冷却効率の改善は相殺され、十分な効果を得ることは難しい。
【００３３】
特許文献３（第３の従来例）には、液晶パネル保持枠の通風路に切欠部を設け、偏光板との間隔が狭い場合においても、通風面積を確保することで冷却風速を補償する装置が開示されている。しかしながら、流入端部の各ユニットの間の間隔が狭い場合、そこが通風抵抗となって送風量が低下し、またその下流側で切欠部を設けて通風面積を拡大しても、被冷却部（液晶パネルや偏光板の光透過面）の風速は低下するため、冷却効率は上がらない。
【００３４】
特許文献４（第４の従来例）の第１例には、液晶パネルと偏光板との間にＵ字溝形状の導風板を架設してファン送風を上端でＵターンさせることにより、液晶パネルの入射側面と出射側面で冷却方向を逆にして、パネル温度ムラの緩和を図った構造が開示されている。しかしながらこの場合、従来構造に比べて、通風面積が半分になり、かつ通風距離は２倍になるため、通風抵抗が悪化しファン送風量が抑制される。また、Ｕ字溝の前半でパネル出射側面を通過して冷却した空気は、排熱により温度が上昇するため、Ｕターンしてパネル入射側面を通過する後半には、放熱能力が著しく低下するといった欠点があり、高効率冷却には適さない。
【００３５】
一方、１対のファンで、パネル入射側面と出射側面を、個別に逆方向へ通風するという第４の実施例の第２例（図１７）の場合、パネル面の発熱分布（冷却作用）が入射側と出射側とで上下逆になり、パネル内部の均温化を図るといった点では有効であるが、発熱面に平行流を当てて放熱するという点では従来の冷却方法を踏襲しており、ファン１つ当たりの放熱負荷が減る一方で、各風通面積が半分になっているため通風抵抗が上昇し、十分な冷却効率は得られない。
【００３６】
特許文献５（第５の従来例）には、液晶ユニット部を密閉循環方式で強制空冷し、排気の熱をヒートシンク経由で外部に伝熱し、他の空冷ファンにより放熱することで、液晶ユニットを冷却する内部循環流の空気温度を還元させている。しかしながらこの場合、液晶ユニット部への塵埃混入の防止といった点では効果的だが、排熱輸送に、気体（内部循環流）→固体（ヒートシンク）→気体（外気へ強制空冷）といった２回の熱伝達プロセスを経るため、内部循環空気から外気までの熱抵抗が大きくなり熱輸送効率が悪く、発熱量の大きな高輝度モデルには適用できないといった欠点がある。
【００３７】
本発明の目的は、小型でかつ低コストの構成で、間隔をおいて互いに対向する面をそれぞれが備え、互いに対向する面の少なくともいずれかが発熱部である複数の構成機器を具備した電子機器の動作温度を効果的に低減する静音冷却装置を提供することにある。
【課題を解決するための手段】
【００３８】
本発明の電子機器の発熱部冷却装置は、
面内方向が同じとなるように並設されて面の内部に発熱部を有する複数の構成機器を備えた電子機器の発熱部を強制空冷する冷却装置であって、発熱部に対して面内方向の向きに送風を行う第１の空冷手段と、第１の空冷手段による送風とは異なった向きで発熱部に対して面内方向に送風を行う第２の空冷手段と、を有することを特徴とする。
【００３９】
第１の空冷手段による第１の送風と、第２の空冷手段による第２の送風とが、互いに異なる風速ベクトルを有しており、複数の構成機器の対向する面の、発熱部の位置において、第１の送風と第２の送風とが互いに衝突するように第１の空冷手段と第２の空冷手段とが設定されていてもよく、第１の空冷手段が、複数の構成機器の対向する面の下端に配置され、第２の空冷手段が、複数の構成機器の対向する面の上端に配置されていてもよい。第１の空冷手段が、第１の冷却ファンと第１の空冷ダクトとから構成されており、第２の空冷手段が、第２の冷却ファンと第２の空冷ダクトとから構成されていてもよく、第１の空冷手段および第２の空冷手段のいずれか一方が、冷却ファンと空冷ダクトから構成され、他方が空冷ファンのみで構成されていてもよく、第１の空冷手段が、第１の冷却ファンと、第１の空冷ダクトから構成されており、第２の空冷手段が、第１の空冷手段と共有する第１の空冷ファンと、第１の空冷ダクトから途中分岐して、第１の空冷ダクトの送風方向とは異なった方向から面内へ送風する第２の空冷ダクトとから構成されていてもよい。また、第１の冷却ファンと第２の冷却ファンの送風量が可変であってもよい。
【００４０】
電子機器が液晶型画像表示器であり、構成機器が、液晶ユニット部を構成する入射側偏光板、液晶パネル、および出射側偏光板であってもよい。
【００４１】
本発明の電子機器の発熱部冷却方法は、
上述の電子機器の発熱部冷却装置の発熱部冷却方法であって、電子機器の構成機器に対する第１の空冷手段による第１の送風を、構成機器の対向する面の間隙において、第１の方向に向けて送風し、第２の空冷手段による第２の送風を、構成機器の対向する面の間隙において、第１の方向とは異なる第２の方向へ向けて送風し、第１の送風と第２の送風とを、構成機器の対向する面の発熱部中央位置近傍において互いに衝突させることにより、構成機器の対向する面のいずれか、もしくは両方に対して、それぞれ垂直に向かう旋回流を生成させることを特徴とする。
【００４２】
第１の空冷手段が電子機器の構成機器の下端に配置され、第２の空冷手段が電子機器の構成機器の上端に配置されており、第１の空冷手段による第１の送風を、複数の構成機器の間の空間において、下方から上方へと送風し、第２の空冷手段による第２の送風を、複数の構成機器の間の空間において、上方から下方へと送風し、第１の送風と第２の送風とを、構成機器の対向する面の発熱部中央位置近傍において互いに衝突させることにより、構成機器の対向する面のいずれか、もしくは両方に対して、それぞれ垂直へ向かう旋回流を生成させてもよい。第１の空冷手段を構成する第１の空冷ファンと、第２の空冷手段を構成する第２の空冷ファンとの、送風量の比率を時間的に変動させることにより、第１の送風と第２の送風との衝突位置を、構成機器の対向する面の発熱部中央位置から周期的に移動させてもよい。電子機器が液晶型画像表示器であり、構成機器が、液晶ユニット部を構成する入射側偏光板、液晶パネル、および出射側偏光板であってもよい。
【００４３】
本発明の液晶プロジェクタ装置は、
上述の電子機器の発熱部冷却装置のいずれかを備えたことを特徴とする。
【００４４】
本発明における電子機器の発熱部冷却装置では、例えば電子機器が液晶プロジェクタ装置の液晶型画像表示器の場合、液晶ユニット部の上下に、冷却ファンと空冷ダクトからなる独立した１対の空冷手段を設け、液晶ユニット部を間に挟んで、上下から互いに対向方向へ送風して、入射側偏光板と液晶パネル、あるいは液晶パネルと出射側偏光板の間の空間に通気させ、発熱部中央位置近傍となる光透過面の中央付近で、２つの通風を衝突させることで冷却効率の改善を図っている。
【００４５】
偏光板や液晶パネルのような発熱平板を強制空冷により冷却する場合、最も冷却効率の高い方法の一つとして、衝突噴流冷却が挙げられる。図１９は衝突噴流冷却を説明するための模式図である。衝突噴流冷却は、図１９に示すように、発熱平板１８に対して、垂直方向からノズル１９で冷媒（空気、液体）２０を噴射して、衝突噴流として発熱平板１８に衝突させ発熱面を放熱する方法である。
【００４６】
一般に、発熱平板への強制空冷において、熱伝達率を改善して伝熱の促進を行う方法には、薄膜化法と置換法の２つのアプローチが考えられる。
【００４７】
前者は、発熱体表面に形成される温度境界層を薄く（薄膜化）することで熱伝達を促進する方法であり、この場合、温度境界層の厚さは主流方向速度（平板に沿った流速）の平方根に逆比例するため、上で述べたような風速を上げて発熱体の温度を下げるというやり方はこれに相当する。
【００４８】
後者は、固体表面近傍の流体と、少し離れた位置にある流体との交換（温度置換）を助長することで伝熱促進を図るやり方であり、非定常的な渦の生成／消失を伴う乱流を制御することにより達成される。
【００４９】
発熱平板に対して噴流を垂直方向から衝突させて冷却を行う衝突噴流冷却は、後者にあたる。衝突噴流冷却では、
１）衝突噴流による発熱体表面の温度境界層の破壊（剥離）、
２）衝突面に生ずる旋回渦による流体交換（温度置換）、
３）コアンダ効果（流れの中に物体を置くと、流体と固体壁面との間の圧力が低下し、流れが壁面に吸い寄せられ、その物体に沿って流れの向きが変わる流体の性質）による噴流の壁面滑り、
といったプロセスを経て、発熱平板に沿って送風する従来の方法に比べ、５倍〜１０倍の冷却能力を発揮する。
【００５０】
ところで、このような衝突噴流冷却を、例えば液晶プロジェクタ装置における液晶型画像表示器の冷却に適用する場合、そのノズル位置が課題となる。すなわち、液晶パネルや偏光板の発熱は、各色光が通過する際の吸光作用によって生ずるため、図２０に示すように、発熱面が光透過面（パネル光透過面２２、偏光板光透過面２５）とほぼ一致する。したがって、各色光の透過を阻害しないように、発熱面への垂直空気流れを生成することが必要になってくる。図２０は液晶型画像表示器における液晶パネルと偏光板の光透過面を説明するための模式図であり、（ａ）は液晶パネルと偏光板を並べて表示した正面図、（ｂ）は側面図である。
【００５１】
そこで本発明における液晶型画像表示器の冷却機構では、液晶ユニット部の上下から冷却空気を互いに対向方向へ送風して、液晶パネルと偏光板の間の空間の、透光面中央近傍で衝突させることにより、液晶パネルと偏光板との双方の発熱面へそれぞれ垂直に向かう旋回流を発生させて垂直噴流を形成し、熱伝達率を飛躍的に増大させて伝熱促進を行い、液晶ユニット部の高効率冷却を達成している。
【００５２】
さらに液晶ユニット部の上下に設けられたファンの送風量比を時間的に変化させることにより、その液晶パネルと偏光板に対する衝突位置（垂直噴流生成位置）を液晶パネル中央から上下に振動させることができる。これにより、最大冷却効果を発揮する領域（衝突位置）をパネル面内で周期的に変動させることができるため、液晶パネル面の温度ムラを解消することができ、投写画質の改善を図ることが可能になる。
【発明の効果】
【００５３】
本発明における電子機器の発熱部冷却装置では、例えば液晶型画像表示器の冷却機構に適用した場合、液晶ユニット部を間に挟んで上下方向に対向して配置された１対の空冷手段を用いて、液晶パネルと偏光板との間の空間で送風を対向状態で衝突させることにより、液晶パネルと偏光板の各発熱面に垂直な衝突噴流を生成させている。これによって、従来の平行面に沿った一様な流れによる液晶ユニットの冷却に比べ、熱伝達率を格段に向上させて伝熱促進を図ることができるので、小型・低コストで低騒音な高効率冷却を提供することが可能になるという効果がある。
【００５４】
同様の効果は、間隔をおいて互いに対向する面をそれぞれが有し、互いに対向する面の少なくともいずれかが発熱部である電子機器の複数の構成機器の発熱部の冷却においても得ることができる。
【００５５】
また一対の空冷手段の送風量比を任意に制御することにより、ファン送風の衝突位置を自在に設定できるため、パネル中央を基点として衝突噴流生成位置を周期的に変動させ、パネル面の温度ムラを緩和して画質の向上を図ることも可能になるという効果がある。
【発明を実施するための最良の形態】
【００５６】
次に、本発明の実施の形態の電子機器の発熱部冷却装置の構成と動作について図面を参照して説明する。本実施の形態では、理解を容易にするために、電子機器を液晶プロジェクタ装置の液晶型画像表示器とし、構成機器を、液晶ユニット部を構成する入射側偏光板、液晶パネル、および出射側偏光板として説明する。しかし、この形態に限定されるものではなく、間隔をおいて互いに対向する面をそれぞれが備え、互いに対向する面の少なくともいずれかが発熱部である複数の構成機器を備える電子機器、例えば複数のプリント回路板を並列に実装したラックユニットや、小型の電子機器において筐体内壁に向かって狭い空間で実装された基板のＩＣチップなど、狭小隙間に配置された発熱部の冷却装置などとしても適用できる。
【００５７】
液晶プロジェクタ装置については、背景技術の項において詳細に説明したのでここでの説明は省略する。
【００５８】
図１は本発明の第１の実施の形態の液晶画像表示器の発熱部冷却装置の模式的分解斜視図であり、図２は本発明の第１の実施の形態の液晶画像表示器における発熱部冷却装置の構成と動作について説明するための模式的断面図であり、図３は図２における液晶ユニット部の冷却風の流れを示す模式的部分断面図と部分拡大断面図である。
【００５９】
本発明による液晶プロジェクタ装置の液晶型画像表示器（電子機器）の冷却装置２６ａは、Ｒ／Ｇ／Ｂの色光ごとに用意された、入射側偏光板１２、液晶パネル１３、および出射側偏光板１４のそれぞれをユニットとして構成される液晶ユニット部２の上下端に配置されており、第１の冷却ファン２７ａと第１の空冷ダクト２８ａからなる第１の空冷部２９ａと、同じく第２の冷却ファン３１ａと第２の空冷ダクト３２ａからなる第２の空冷部３３ａとから形成されている。
【００６０】
次に、図２を用いて、本実施の形態における冷却装置２６ａによる液晶ユニット部２の冷却動作について説明する。
【００６１】
本実施の形態では、図２に示すように、液晶ユニット部２の下端に、第１の空冷部２９ａが設けられており、第１の冷却ファン２７ａから発生する第１の送風３０ａが、第１の空冷ダクト２８ａを介して、各色光の入射側偏光板１２と液晶パネル１３の間、および液晶パネル１３と出射側偏光板１４との間の空間を、下方から上方へ向けて通風している。
【００６２】
同時に、液晶ユニット部２の上端には、第２の空冷部３３ａが設けられており、第２の冷却ファン３１ａから発生する第２の送風３４ａが、第２の空冷ダクト３２ａを介して、同じく各色光の入射側偏光板１２と液晶パネル１３との間、および液晶パネル１３と出射側偏光板１４との間の空間に、上方から下方へ向けて通風している。
【００６３】
次いで、図３を用いて本実施の形態における冷却装置２６ａによる冷却作用について説明する。図３は、図２における液晶ユニット部２のうち、１つの色光部分の液晶ユニット部２のみを抽出した模式的断面図である。
【００６４】
上述のように、液晶ユニット部２の下端から、入射側偏光板１２と液晶パネル１３との間の空間、および液晶パネル１３と出射側偏光板１４との間の空間に、下方から上方へ向かって送り出された第１の送風３０ａと、同じく液晶ユニット部２の上端から、入射側偏光板１２と液晶パネル１３との間の空間、および液晶パネル１３と出射側偏光板１４との間の空間に、上方から下方へ向かって送り出された第２の送風３４ａとは、第１の冷却ファン２７ａと第２の冷却ファン３１ａの送風量が等価で、かつ第１の空冷ダクト２８ａと第２の空冷ダクト３２ａの通風抵抗が等しい場合には、各ユニットの間の空間の中央位置（図中：衝突面ａ）において対向状態で衝突する。
【００６５】
このとき互いに対向する方向から衝突した第１の送風３０ａと、第２の送風３４ａとは、その衝突位置において、図３の詳細部で示すように、入・出射側の偏光板１２、１４や液晶パネル１３の光透過面へ垂直に向かう旋回流を発生させて、発熱面（光透過面）への垂直噴流を、色光の透過を妨げることなく、形成している。
【００６６】
これにより、従来の平行平板流れによる冷却方法に比べて、熱伝達率を大幅に増加させることができるため、放熱効率の高い液晶ユニット冷却を行うことが可能になる。
【００６７】
次に、本発明による電子機器の冷却装置における第２の実施の形態について、図面を参照しながら詳細に説明する。図４は、本発明の第２の実施の形態の液晶画像表示器における発熱部冷却装置の構成と動作について説明するための模式的断面図であり、図５は図４における液晶ユニット部の冷却風の流れを示す模式的部分断面図と部分拡大断面図である。
【００６８】
第２の実施の形態における冷却装置２６ｂでは、第１の実施の形態における冷却装置２６ａのうち、液晶ユニット部２の上端に配置した第２の空冷部３３ｂを、軸流ファン３６のみで構成している。
【００６９】
この場合においても、第１の実施の形態の場合と同様に、液晶ユニット部２を構成する入射側偏光板１２と液晶パネル１３の間の空間、および液晶パネル１３と出射側偏光板１４の間の空間に、第１の冷却ファン２７ｂと第１の空冷ダクト２８ｂから構成される第１の空冷部２９ｂにより送り出された第１の送風３０ｂと、軸流ファン３６で構成される第２の空冷部３３ｂから送り出された第２の送風３４ｂとが通風され、各エレメント間のほぼ中央位置（図５：衝突面ｂ）において対向状態で衝突して、上述した第１の実施の形態の場合と同様に、発熱面である入・出射側偏光板１２、１４や液晶パネル１３の光透過面へ向かう垂直噴流を形成する。
【００７０】
本実施の形態では、第２の空冷部を軸流ファンのみで構成することにより、実装の小型・簡略化が図られている。
【００７１】
次に、本発明による電子機器の冷却装置における第３から第６の実施の形態について、図面を参照して説明する。
【００７２】
図６は、第１および第３〜第６の実施の形態における冷却構造の模式的断面図であり、（ａ―i）は第１の実施の形態の光透過面側から見た模式的断面図であり、（ａ―ii）は第１の実施の形態の横断面側からみた模式的断面図であり、（ｂ）は第３の実施の形態の光透過面側から見た模式的断面図であり、（ｃ）は第４の実施の形態の光透過面側から見た模式的断面図であり、（ｄ）は第５の実施の形態の光透過面側から見た模式的断面図であり、（ｅ）は第６の実施の形態の光透過面側から見た模式的断面図である。（ａ―i）および（ａ―ii）は第３から第６の実施の形態と第１の実施の形態との比較説明のために用意したものである。
【００７３】
第１の実施の形態では、液晶ユニット部２の上下方向から、独立した空冷部２９ａ、３３ａにより対向する方向へ送風して、液晶ユニット２の光透過面中央位置（衝突面ａ）において冷却空気同士を衝突させ、各発熱面へ向かう垂直流れ（衝突噴流）を生成している。
【００７４】
これに対して、図６（ｂ）に示す第３の実施の形態における冷却構造では、液晶ユニット部２の下端に配置する第１の空冷部２９ｃの第１の吐出口３７ｃと、同じく液晶ユニット部２の上端に配置する第２の空冷部３３ｃの第２の吐出口３８ｃとが、図中ａxで示すパネル中心軸線上から互いに左右へ偏心されて配置されていることを特徴としている。
【００７５】
これにより、第１の空冷部２９ｃによる第１の送風３０ｃと、同じく第２の空冷部３３ｃによる第２の送風３４ｃとが、風速分布のズレに対応した位置において対向衝突を生じ、光透過面のほぼ対角線（図中:衝突面ｃ）に沿った位置で、発熱面へ垂直に向かう旋回流を形成し、結果として広範囲な高効率液晶ユニット冷却を実現することができる。
【００７６】
この場合、衝突後の送風が斜め方向に流れていくため、高温になった排気が冷却空気へ再循環しないように、筐体外へ排出する処理が容易になる。
【００７７】
図６（ｃ）に示す第４の実施の形態における冷却構造では、第１の空冷部２９ｄの第１の吐出口３７ｄと、同じく第２の空冷部３３ｄの第２の吐出口３８ｄとが、光透過面のほぼ対角線上で対向するように配置されていることを特徴としている。
【００７８】
これにより、上述の第３の実施の形態と同様に、第１の空冷部２９ｄによる第１の送風３０ｄと、同じく第２の空冷部３３ｄによる第２の送風３４ｄとが、入射側偏光板と液晶パネルの間の空間、および液晶パネルと出射側偏光板の間の空間において通風され、光透過面の対角線位置（図中：衝突面ｄ）で対向して衝突し、光透過面の対角線上において発熱面へ垂直に向かう旋回流を形成し、第３の実施の形態と同様の効果を得ている。
【００７９】
図６（ｄ）に示す第５の実施の形態における冷却構造では、第１の空冷部２９ｅと第２の空冷部３３ｅの両方を、液晶ユニットの下端の両側に併設し、かつ第１の空冷部２９ｅの第１の吐出口３７ｅと、同じく第２の空冷部３３ｅの第２の吐出口３８ｅとが、送風方向がパネルの縦方向の中心線上（図中：ａx）で交差するように設定されていることを特徴としている。
【００８０】
この場合、他の実施の形態と同様に、液晶ユニット部の高効率冷却が行えると同時に、第１および第２の送風の排気方向を、液晶ユニットの上方へ向けて揃えられるため、排熱処理がより容易にできる。
【００８１】
図６（ｅ）に示す第６の実施の形態における冷却構造では、第１の空冷部２９ｆの第１の吐出口３７ｆと、同じく第２の空冷部３３ｆの第２の吐出口３８ｆとが、液晶ユニット部２の左右で対向するように配置されていることを特徴としている。
【００８２】
この場合、液晶ユニット部の左右に実装空間を用意する必要があるが、発熱面へ向かう旋回流がパネル中心軸上（図中：ａx）で形成されるため、上下における温度勾配が大きくなるような液晶パネルに対して有効である。
【００８３】
次に、本発明の冷却装置における第７の実施の形態について、図面を参照して説明する。
【００８４】
図７は、本発明による第７の実施の形態の模式的説明図であり、（ａ）は冷却装置のダクト構成を説明した斜視図、および動作を説明した断面図であり、（ｂ）は、おなじく動作を説明した上面図である。
【００８５】
図7（ａ）および（ｂ）に示す第７の実施の形態では、上述した第１から第６の実施の形態の冷却装置において、第２の空冷部を構成していた第２の冷却ファンを設けないで、第１の冷却ファン２７ｇを共用し、第２の空冷ダクト３２ｇを、第１の空冷ダクト２８ｇの途中から分岐させ、液晶ユニット部２の側方位置において、液晶ユニット部２の中央方向へ伸長させ、液晶ユニット部２の横方向からほぼ水平に第２の送風３４ｇを光透過面中央へ向かって吐出させている。
【００８６】
これにより、第１のダクト２８ｇによって、液晶ユニット部２の下方から上方へ通風させる第１の送風３０ｇと、液晶ユニット部２の側方から通風される第２の送風３４ｇとが、入射側偏光板１２と液晶パネル１３の間、あるいは液晶パネル１３と出射側偏光板１４の間の、光透過面中央位置近傍のユニットの間の空間において、２つの異なるベクトル（本実施の形態の場合、直交ベクトル）を持つ送風としての衝突が生じるため、上述した第１から第６の実施の形態の場合と同様に、高い冷却効果を得ることができる。
【００８７】
またこの場合、第１の冷却ファン２７ｇを第１の空冷ダクト２８ｇと第２の空冷ダクト３２ｇとで共用させているため、ファン実装個数を削減して低コスト化と低騒音化を図れるとともに、第２のダクト３２ｇを第１のダクト３０ｇの一部を分岐させて形成しているため、冷却ファン共々、冷却装置の実装容積を縮小することが可能になり、小型のプロジェクタ装置に適用することが容易になる。
【００８８】
さらに、第２の冷却ファンや第２のダクトを独立部材として用意する必要がなくなるため、組立工程の簡略化を図ることができ、高い冷却能力を有しながら、１台の冷却ファンを用いていた従来構成のプロジェクタ装置と変わらない生産性を保持することもできる。
【００８９】
次に、本発明の冷却装置を用いて、冷却作用域を拡大して放熱効果を高め、同時に液晶パネル面の温度ムラを緩和して投写画質の改善を図る方法について、図面を参照して説明する。
【００９０】
図８は、本発明の冷却装置における制御方法を示した模式的説明図であり、（ｉ）が液晶ユニットを光透過面側からみた正面図、同じく（ｉｉ）が横断面図を示しており、（ａ）、（ｂ）、（ｃ）は時系列のファンの風量の変化を示している。（ａ）→（ｂ）→（ｃ）→（ｂ）→（ａ）の順番は、時系列のファン風量制御と、その時の通風状態を表している。
【００９１】
本説明図では、上述の第１の実施の形態の冷却装置を例としているが、他の実施の形態の冷却装置にも適用できる。
【００９２】
液晶ユニット部２の下端および上端にそれぞれ用意された第１の空冷部２９ａと第２の空冷部３３ａは、各々第１の冷却ファン（図示せず）と第１の空冷ダクト２８ａ、および第２の冷却ファン（図示せず）と第２の空冷ダクト３２ａから構成されており、各ダクト吐出口より、第１の送風３０ａと、第２の送風３４ａとが、入射側偏光板１２と液晶パネル１３、および液晶パネル１３と出射側偏光板１４の各ユニットの間の空間において、対向方向に通風され、その途中位置において対向して衝突し、光透過面に垂直な方向へ向かう旋回流を形成し、発熱面を垂直噴流により冷却している。
【００９３】
本冷却方法では、第１の冷却ファンの送風量と、第２の冷却ファンの送風量の比率を制御することにより、その衝突位置を時間的に変動させて、光透過面への垂直流れを上下方向に移動させて、高効率冷却が作用する領域を拡大すると同時に、パネル面内温度差の緩和を図っている。
【００９４】
すなわち、ある時刻（図８（ａ））においては、第１の送風量＞第２の送風量、となるように、独立した冷却ファン（第１の冷却ファンと第２の冷却ファン）を制御し、次の時時刻（図８（ｂ））には、第１の送風量＝第２の送風量、とし、さらに次の時刻（図８（ｃ））には、第１の送風量＜第２の送風量、となるようにそれぞれのファンの送風量の比率を調整している。送風量の制御はファン回転数を電気的に変化させてもよいし、ダクトに設けたダンパーの開度調整により行ってもよい。
【００９５】
これらの制御を（ａ）→（ｂ）→（ｃ）→（ｂ）→（ａ）というように周期的に繰り返すことにより、入・出力偏光板や液晶パネルの光透過面上に形成される旋回流（衝突噴流）を上下に移動させて、最大冷却効果の得られる位置（＝送風の衝突位置）を変動させ、冷却作用の高い領域を拡大するとともに、光透過面内における局所的な熱伝達率のバラツキを時間的に緩和しているため、パネル面内の温度勾配が抑制され、投写画質の改善を図ることができる。
【００９６】
なお、上述の説明では、第１の実施の形態のみを例に示しているが、その他の実施の形態においてもこのような送風量の制御を行うことで同様の効果が得られることは自明である。
【図面の簡単な説明】
【００９７】
【図１】本発明の第１の実施の形態の液晶画像表示器の発熱部冷却装置の模式的分解斜視図である。
【図２】本発明の第１の実施の形態の液晶画像表示器における発熱部冷却装置の構成と動作について説明するための模式的断面図である。
【図３】図２における液晶ユニット部の冷却風の流れを示す模式的部分断面図と部分拡大断面図である。
【図４】本発明の第２の実施の形態の液晶画像表示器における発熱部冷却装置の構成と動作について説明するための模式的断面図である。
【図５】図４における液晶ユニット部の冷却風の流れを示す模式的部分断面図と部分拡大断面図である。
【図６】第１および第３〜第６の実施の形態における冷却構造の模式的断面図であり、（ａ―i）は第１の実施の形態の光透過面側から見た模式的断面図であり、（ａ―ii）は第１の実施の形態の横断面側からみた模式的断面図であり、（ｂ）は第３の実施の形態の光透過面側から見た模式的断面図であり、（ｃ）は第４の実施の形態の光透過面側から見た模式的断面図であり、（ｄ）は第５の実施の形態の光透過面側から見た模式的断面図であり、（ｅ）は第６の実施の形態の光透過面側から見た模式的断面図である。
【図７】本発明による第７の実施の形態の模式的説明図であり、（ａ）は冷却装置のダクト構成を説明した斜視図、および動作を説明した断面図であり、（ｂ）は、おなじく動作を説明した上面図である。
【図８】本発明の冷却装置における制御方法を示した模式的説明図であり、（ｉ）が液晶ユニットを光透過面側からみた正面図、同じく（ｉｉ）が横断面図を示しており、（ａ）、（ｂ）、（ｃ）は時系列のファンの風量の変化を示している。
【図９】従来の液晶プロジェクタ装置の模式的構成図であり、（ａ）は一般的な液晶プロジェクタ装置の外観を、（ｂ）は液晶プロジェクタ装置の内部構造を示す。
【図１０】液晶プロジェクタ装置の内部の模式的構成図である。
【図１１】液晶プロジェクタ装置の液晶ユニット部の冷却部の構成を示す模式図であり、（ａ）は分解斜視図、（ｂ）は強制空冷動作を説明するための模式的断面図である。
【図１２】０．８"―ＳＸＧＡ（５０００ｌｍクラス：２５℃環境）におけるパネル冷却風速とパネル動作温度の関係を示したグラフである。
【図１３】液晶ユニット冷却の第１の従来例を示す模式的側面図である。
【図１４】液晶ユニット冷却の第２の従来例を示す模式的斜視図である。
【図１５】液晶ユニット冷却の第３の従来例を示す模式的断面図である。
【図１６】液晶ユニット冷却の第４の従来例の第１例を示す模式図であり、（ａ）は上面図、（ｂ）は側面断面図である。
【図１７】液晶ユニット冷却の第４の従来例の第２例を示す模式図であり、（ａ）は上面図、（ｂ）は側面断面図である。
【図１８】液晶ユニット冷却の第５の従来例を示す模式的側面断面図である。
【図１９】衝突噴流冷却を説明するための模式図である。
【図２０】液晶型画像表示器における液晶パネルと偏光板の光透過面を説明するための模式図であり、（ａ）は液晶パネルと偏光板を並べて表示した正面図、（ｂ）は側面図である。
【符号の説明】
【００９８】
１    液晶プロジェクタ装置
２    液晶ユニット部
３    冷却ファン
３ａ    第１の冷却ファン
３ｂ    第２の冷却ファン
４    空冷ダクト
５    光源
６    リフレクタ
７    ランプ用冷却ファン
８    ランプ用冷却ダクト
９    排気ファン
１０    電源ユニット
１１    投写レンズ
１２    入射側偏光板
１３    液晶パネル
１４    出射側偏光板
１５    空冷装置
１６    送風
１７    吐出口
１８    発熱平板
１９    ノズル
２０    衝突噴流
２１    パネル面
２２    パネル光透過面
２３    透過基板
２４    偏光フィルム
２５    偏光板光透過面
２６ａ,２６ｂ,２６ｃ    冷却装置
２７ａ,２７ｂ,２７ｃ,２７ｄ,２７ｅ,２７ｆ,２７g    第１の冷却ファン
２８ａ,２８ｂ,２８ｃ,２８ｄ,２８ｅ,２８ｆ,２８g    第１の空冷ダクト
２９ａ,２９ｂ,２９ｃ,２９ｄ,２９ｅ,２９ｆ    第１の空冷部
３０ａ,３０ｂ,３０ｃ,３０ｄ,３０ｅ,３０ｆ,３０ｇ    第１の送風
３１ａ,３１ｂ,３１ｃ,３１ｄ,３１ｅ,３１ｆ    第２の冷却ファン
３２ａ,３２ｂ,３２ｃ,３２ｄ,３２ｅ,３２ｆ,３２ｇ    第２の空冷ダクト
３３ａ,３３ｂ,３３ｃ,３３ｄ,３３ｅ,３３ｆ    第２の空冷部
３４ａ,３４ｂ,３４ｃ,３４ｄ,３４ｅ,３４ｆ,３４ｇ    第２の送風
３５    色合成プリズム
３６    軸流ファン
３７ａ,３７ｂ,３７ｃ,３７ｄ,３７ｅ,３７ｆ,３７ｇ    第１の吐出口
３８ａ,３８ｂ,３８ｃ,３８ｄ,３８ｅ,３８ｆ,３８ｇ    第２の吐出口
３９    風向板
４０    保持枠
４１    突片部
４２    ダクト吐出口
４３    切欠部
４４    導風板
４５    循環ダクト
４６    空気還流用ダクト
【図１】
2008107387.tif 000003
【図２】
2008107387.tif 000004
【図３】
2008107387.tif 000005
【図４】
2008107387.tif 000006
【図５】
2008107387.tif 000007
【図６】
2008107387.tif 000008
【図７】
2008107387.tif 000009
【図８】
2008107387.tif 000010
【図９】
2008107387.tif 000011
【図１０】
2008107387.tif 000012
【図１１】
2008107387.tif 000013
【図１２】
2008107387.tif 000014
【図１３】
2008107387.tif 000015
【図１４】
2008107387.tif 000016
【図１５】
2008107387.tif 000017
【図１６】
2008107387.tif 000018
【図１７】
2008107387.tif 000019
【図１８】
2008107387.tif 000020
【図１９】
2008107387.tif 000021
【図２０】
2008107387.tif 000022